(57)【要約】  設置時に、照明デバイスの少なくとも部分的に自動化されたコミッショニングを行うための装置、方法及びコンピュータプログラムに関する。装置は、前記設置時に既存である、既存の公衆ワイヤレスネットワーク上で通信するためのワイヤレスインタフェースと、照明デバイスの位置を決定するための測位モジュールと、ローカル制御モジュールとを備える。前記コミッショニングの一部として、ローカル制御モジュールは、測位モジュールを用いて照明デバイスの位置を決定し、ワイヤレスインタフェースを介して既存の公衆ワイヤレスネットワーク上でコミッショニング情報を送信することにより、照明管理システムのレジスタにコミッショニング情報を送信する。コミッショニング情報は、測位システムを用いて決定された照明デバイスの位置と共に装置の識別子を含む。
2017508262.tif 000002
【特許請求の範囲】
【請求項１】
設置時に、照明デバイスの少なくとも部分的に自動化されたコミッショニングを行う装置であって、
前記設置時に既存である、既存の公衆ワイヤレスネットワーク上で通信するワイヤレスインタフェースと、
前記照明デバイスの位置を決定する測位モジュールと、
前記コミッショニングの一部として、前記測位モジュールを用いて前記照明デバイスの位置を決定し、前記ワイヤレスインタフェースを介して前記既存の公衆ワイヤレスネットワーク上でコミッショニング情報を送信することにより、照明管理システムのレジスタに前記コミッショニング情報を送信するローカル制御モジュールと
を含み、前記コミッショニング情報は、前記測位モジュールを用いて決定された前記照明デバイスの位置と共に前記装置の識別子を含む、装置。
【請求項２】
前記既存の公衆ワイヤレスネットワーク上での前記送信は、所与の所在地における所与のユーザによる設置時に、任意の他の手段を介して外部と通信する前に、前記ローカル制御モジュールによって行われる最初の通信である、請求項１に記載の装置。
【請求項３】
前記照明管理システムは、前記公衆ワイヤレスネットワークを介して受信された前記識別子を使用して、前記照明デバイスの１つ又は複数の初期設定を調べ、前記ローカル制御モジュールは、前記公衆ワイヤレスネットワークを介して前記照明管理システムから前記初期設定を受信し、且つこれに基づいて、前記初期設定を用いて前記照明デバイスを初期化する、請求項１又は２に記載の装置。
【請求項４】
前記ローカル制御モジュールは更に、前記公衆ワイヤレスネットワークを介して受信された前記照明管理システムからのコマンドに基づいて、設置後に前記照明デバイスを制御し続ける、請求項１乃至３の何れか一項に記載の装置。
【請求項５】
前記ローカル制御モジュールは更に、設置後の前記照明デバイスの動作に関する更なる情報を、前記公衆ワイヤレスネットワーク上で前記更なる情報を前記照明管理システムに送信することによって報告し続ける、請求項１乃至４の何れか一項に記載の装置。
【請求項６】
前記照明管理システムは、前記公衆ワイヤレスネットワークを介して照明デバイスから受信された位置を使用して、前記照明デバイスの地理的グループ間のローカルワイヤレスネットワークを更に生成し、前記照明デバイスの前記ローカルコントローラは、当該位置を前記照明管理システムに送信することに応答して、前記公衆ワイヤレスネットワーク上で受信された前記照明管理システムからのコマンドに基づいて、前記グループのうちの１つのグループの前記ローカルワイヤレスネットワークに加わる、請求項１乃至５の何れか一項に記載の装置。
【請求項７】
前記既存の公衆ワイヤレスネットワークは、モバイルセルラーネットワークであり、前記インタフェースは、前記モバイルセルラーネットワークに対するインタフェースであり、前記ローカル制御モジュールは、前記モバイルセルラーネットワーク上で前記照明管理システムに前記位置を送信する、請求項１乃至６の何れか一項に記載の装置。
【請求項８】
前記測位モジュールは、人工衛星を利用した測位システムから前記位置を決定する人工衛星受信器を含む、人工衛星を利用した測位モジュールであり、前記ローカル制御モジュールは、前記人工衛星を利用した測位モジュールを用いて前記位置を決定する、請求項１乃至７の何れか一項に記載の装置。
【請求項９】
前記公衆ワイヤレスネットワークに対して前記装置を認証するために使用される第１のセキュリティデータ要素を保存する加入者識別モジュールを含み、前記公衆ワイヤレスネットワークを介して前記照明管理システムに対して前記装置を認証するために使用される第２のセキュリティデータ要素を更に含み、前記第２のセキュリティデータ要素は、前記加入者識別モジュール、前記装置の第２の加入者識別モジュール、又は前記装置の別のストレージデバイスに保存される、請求項１乃至８の何れか一項に記載の装置。
【請求項１０】
前記ローカル制御モジュールは、前記公衆ワイヤレスネットワーク上で前記照明管理システムとの接続性が達成されない場合、デフォルト挙動に従って前記照明デバイスを制御し、前記デフォルト挙動は、タイマ及び／又は１つ若しくは複数のセンサに基づいて、前記照明デバイスを制御することを含む、請求項１乃至９の何れか一項に記載の装置。
【請求項１１】
照明デバイスそれぞれが請求項１乃至１０の何れか一項に記載の装置を含む、複数の照明デバイスと、
受信された前記コミッショニング情報に基づいて各照明デバイスの位置を登録する前記照明管理システムと
を含む、照明ネットワーク。
【請求項１２】
前記照明管理システムは、前記公衆ワイヤレスネットワークを介して受信された前記識別子を用いて、前記照明管理システムで使用するための各照明デバイスの１つ又は複数のそれぞれのパラメータを調べる、請求項１１に記載の照明システム。
【請求項１３】
前記照明デバイスの少なくとも１つは、道路の異なるそれぞれのレーンを照明する２つの照明器具を同じポール上に含み、前記照明器具の各々は、前記装置のそれぞれのインスタンスを含み、及び
前記照明管理システムは、前記装置のインスタンスの各々によって報告された前記位置を使用して、同じ照明デバイス上の前記照明器具同士を区別し、それによって、保守又は修理のために前記道路の何れのレーンを封鎖するかを決定するために、前記照明器具の相対的配向を決定する、請求項１１又は１２に記載の照明システム。
【請求項１４】
設置時の照明デバイスのコミッショニングの方法であって、
測位システムを使用して前記照明デバイスの位置を決定するステップと、
前記照明デバイスの識別子を検索するステップと、
前記コミッショニングの一部として、前記設置時に既存である、既存の公衆ワイヤレスネットワーク上でコミッショニング情報を送信することにより、照明管理システムのレジスタに前記コミッショニング情報を自動的に送信するステップと
を含み、前記コミッショニング情報は、前記測位システムを用いて決定された前記照明デバイスの位置と共に前記装置の識別子を含む、方法。
【請求項１５】
設置時の照明デバイスの少なくとも部分的に自動化されたコミッショニングを行うためのコンピュータプログラムであって、コンピュータ可読媒体上で具現化され、照明デバイスのローカルコントローラ上で実行されると、
測位システムを使用して前記照明デバイスの位置を決定する動作と、
前記照明デバイスの識別子を検索する動作と、
前記コミッショニングの一部として、前記設置時に既存である、既存の公衆ワイヤレスネットワーク上でコミッショニング情報を送信することにより、照明管理システムのレジスタに前記コミッショニング情報を送信する動作と
を行うコードを含み、前記コミッショニング情報は、前記測位システムを用いて決定された前記照明デバイスの位置と共に前記装置の識別子を含む、コンピュータプログラム。
【発明の詳細な説明】
【技術分野】
【０００１】
本開示は、設置時の街灯等の照明デバイスのコミッショニングのプロセスに関する。
【背景技術】
【０００２】
屋外用途の場合、街灯等の照明デバイスは、一般的に、例えば中央管理システム（ＣＭＳ：central management system）及び／又は資産管理システムを含む遠隔照明管理システムから遠隔で管理される。現在、このようなシステムは全て、それらが照明デバイスとの「ラストマイル」接続性のために生成される専用ローカルネットワークを必要とするという共通点を有する。このラストマイルネットワークは、ある特定の所在地に設置された照明デバイスのローカルグループを、インターネット等の広域ネットワーク（ＷＡＮ：wide-area network）に接続するローカルエリアネットワーク（ＬＡＮ：local area network）を提供し、これは照明管理システムと接続し、照明管理システムが、照明デバイスからの報告を受信し、潜在的にラストマイルＬＡＮ及びＷＡＮを介して照明デバイスを制御することもできる。ラストマイルネットワークは、一般的に、データが照明デバイスに電力を供給する電力供給へと変調される電力線通信を用いて形成されるか、又は無認可帯域で個人用ワイヤレスネットワークを生成することによって形成される。
【０００３】
何れにしても、設置プロジェクトの一部は、このローカルネットワークを構成、構築及び維持することだけでなく、「ラストマイル」ローカルエリアネットワーク（ＬＡＮ）をインターネット又は別の広域ネットワーク（ＷＡＮ）へと橋渡しするアップリンクデバイスの設置及び構成することである。
【０００４】
しかしながら、ローカルラストマイルネットワークの設置及び維持は、複雑であり、且つ現場での熟練したエンジニア、及びネットワークをセットアップ及び維持するプロジェクト計画を必要とする。製品によっては、それはかなり労働集約型となり得る。更に、手動で行われるあらゆるステップは、オペレータがミスをすることによる一定の失敗の可能性を有する。従来、これは、現場のエンジニアが、このようなミスを識別及び／又は修正することを補助する特別なツール及び／又は二次的サポートを与えられることを必要とする。
【０００５】
例えば、一般的に以下のステップは、従来の屋外照明ネットワークの設置に関与する。
（ａ）ＬＡＮネットワーク状態（例えば、電力線又はＩＳＭ帯域ノイズレベル）の調査
（ｂ）ＷＡＮゲートウェイ（セグメントコントローラ）の位置の計画
（ｃ）ネットワークの可用性を保証するためのロールアウトの計画（例えば、セグメントコントローラに最も近い照明デバイスを設置することによって開始し、その後、外側へ続ける）
（ｄ）セキュリティプロビジョニング
（ｅ）ゲートウェイの設置
（ｆ）ゲートウェイのセットアップ（ＷＡＮアクセス、初期コミッショニング）
（ｇ）計画された順序での照明デバイスの設置
（ｈ）照明デバイスを識別するためのバーコードのスキャン
（ｉ）各照明デバイスのバーコードをその計画された位置と一致させる
（ｊ）各照明デバイスのランプ構成をカタログから選択する
（ｋ）システムの検証（手動ミス又は故障ハードウェアを見つけるため）
【発明の概要】
【発明が解決しようとする課題】
【０００６】
上記のステップの少なくとも１つ若しくは幾つかを取り除くこと、及び／又は最も一般的なステップの１つ若しくは幾つかを自動化するためのツールを提供することが望ましいであろう。換言すれば、「プラグアンドプレイ」原理により一致して設置することができる照明デバイスを提供することが望ましいであろう。例えば、上記のステップ（ｉ）、（ｊ）及び／又は（ｋ）を、設置時にノードの存在及び位置を自動的に発見し、且つ実施形態ではランプ構成も自動発見する自動発見機能に置き換えることが役立つであろう。別の例として、ステップ（ｇ）の「計画された順序で照明器具を設置する」は、従来の顧客にとって最も難しい課題の１つとなり得る。顧客は、街路毎に、且つ必ずしも最も近いゲートウェイ（セグメントコントローラ）への近さに基づいて計画される順序ではなく一新するのに慣れている。これは、最初は接続性が利用可能ではないか、又は一時的なゲートウェイが設置される必要がある多くの設置をもたらし、複雑さをより一層増大させる。従って、設置の特定の順序がネットワークトポロジーによって決定されないシステムを提供することが望ましいであろう。
【課題を解決するための手段】
【０００７】
従って、本明細書に開示される一態様によれば、設置時に、照明デバイスの少なくとも部分的に自動化されたコミッショニングを行うように適合された装置が提供される。装置は、前記設置時に既存である、既存の公衆ワイヤレスネットワーク上で通信するように構成されたワイヤレスインタフェースと、照明デバイスの位置を決定するように構成された測位モジュールと、ローカル制御モジュールとを備える。ローカル制御モジュールは、コミッショニングの一部として、測位モジュールを用いて照明デバイスの位置を決定し、ワイヤレスインタフェースを介して前記既存の公衆ワイヤレスネットワーク上でコミッショニング情報を送信することにより、照明管理システムのレジスタにコミッショニング情報を送信するように構成される。このコミッショニング情報は、測位モジュールを用いて決定された照明デバイスの位置と共に装置の識別子を含む。
【０００８】
例えば、既存の公衆ワイヤレスネットワークは、例えば、ＧＳＭ（登録商標）、ＵＭＴＳ若しくはＬＴＥ又はＷｉＭＡＸネットワーク等の１つ又は複数のモバイルセルラーネットワークを含むワイヤレス広域ネットワーク（ＷＷＡＮ：wireless wide area network）であり得る。例えば、公衆ワイヤレスネットワークは、IS-95、CDMA2000又はＷＣＤＭＡ（登録商標）等のＣＤＭＡアクセス技術に基づき得る。代替的に又は追加的に、既存の公衆ワイヤレスネットワークは、Wi-Fi（登録商標）又はZigBee（登録商標）ネットワーク等の１つ又は複数のワイヤレスローカルエリアネットワーク（ＷＬＡＮＳ：wireless local area network）を含み得る。測位モジュールは、ＧＰＳ、ＧＬＯＮＡＳＳ又はGalileo等の人工衛星を利用した測位システムから前記位置を決定するように構成された人工衛星受信器を備えた人工衛星を利用した測位モジュールであり得る。
【０００９】
従って、開示された構成は、少なくとも部分的に自動化された態様で（例えば、設置者は、手動でバーコードをスキャンする必要がない）、少なくとも遠隔照明管理システムに対して照明デバイスの存在及び位置を公表することを含む、少なくとも初期コミッショニングに伴う通信のために、２Ｇ、３Ｇ又は４Ｇセルラーネットワーク等の既に利用可能な公衆ネットワークを利用することによって、「プラグアンドプレイ」コミッショニングシステムを提供する。好適な実施形態では、ローカルコントローラは、これを、照明デバイスの電源投入時に完全に自動化された態様で行う（但し、他の実施形態では、照明デバイスが自らを遠隔システムに報告する前に、ユーザインタフェースを介して、ユーザが確認を促されることは除外されない）。更なる実施形態では、既存の公衆ネットワークは、照明管理システムから構成設定を自動的に受信し、及びそれによって、照明デバイスの初期設定を自動構成するために使用され得る。代替的に又は追加的に、例えば、資産管理システムとして機能する場合、照明管理システムは、照明器具又は照明デバイス工場から照明デバイスの１つ又は複数のパラメータを受信していることができ（例えば、照明器具の１つ又は複数の技術的特性等の注文情報）、及び既存の公衆ワイヤレスネットワーク上で受信された識別子に基づいて、自動的にパラメータを照明デバイスと一致させるように構成され得る。１つ若しくは複数のパラメータ、又はそれに基づいた情報は、次に、例えば資産管理の目的で、照明管理システムのオペレータに対して自動的に表示され得る。重ねて、これらのステップの１つ、幾つか又は全ては完全に自動化され得る（但し、代替的に、ユーザからの確認等の最小限の入力を伴い得る）。
【００１０】
このような特徴は、設置者の観点から、遠隔管理システムが関与せず、代わりに各照明デバイスが単に個々のスタンドアロンユニットとして設置された過去において設置者が行ったのと全く同じやり方で、設置者が作業することを可能にしながら、遠隔照明管理の利点が達成されることを有利に可能にする。例えば、２Ｇ、３Ｇ又は４Ｇセルラーネットワークのような既に存在する公衆ネットワークを利用することによって、ローカルラストマイルネットワークを生成する必要がなく（少なくとも通信の初期又は唯一の手段としてではなく）、並びに（ｈ）、（ｉ）及び／又は（ｊ）等のステップは、簡単にされるか、又は各ノードに含まれるＧＰＳ受信器等の測位技術によって取り除かれる。更に、各ノードが既存のセルラーネットワーク等を介して照明管理システムと個々に通信するため、実施形態では、照明デバイスが設置されなければならない特定の規定の順序が存在する必要がない。
【００１１】
実施形態では、前記既存の公衆ワイヤレスネットワーク上での送信は、所与の所在地における所与の当事者による設置時に、即ち、任意の他の手段を介して外部と通信する前に、ローカル制御モジュールによって行われる最初の通信である。
【００１２】
更なる実施形態では、照明管理システムは、公衆ワイヤレスネットワークを介して受信された識別子を使用して、照明デバイスの１つ又は複数の初期設定を調べ得る。この場合、ローカル制御モジュールは、公衆ワイヤレスネットワークを介して照明管理システムから初期設定を受信し、且つそれに基づいて、これらの初期設定を用いて照明デバイスを初期化するように構成される。
【００１３】
ローカル制御モジュールは更に、前記公衆ワイヤレスネットワークを介して受信された照明管理システムからのコマンドに基づいて、設置後の継続的動作の間、照明デバイスを制御し続ける−例えば、照明デバイスの切り換え又は調光を制御し続ける−ように構成され得る。
【００１４】
ローカル制御モジュールは更に、設置後の継続的動作の間、照明デバイスの動作に関する更なる情報を、前記公衆ワイヤレスネットワーク上で更なる情報を照明管理システムに送信することによって報告し続ける  −  例えば、計測情報又は故障を報告し続ける  −  ように構成され得る。
【００１５】
実施形態によっては、公衆ワイヤレスネットワーク（例えば、２Ｇ又は３Ｇネットワーク）は、そのネットワークが独占的に設置時の初期通信に使用される場合であっても、使用される唯一のネットワークではない。照明デバイスを互いに及び／又は照明管理システムに接続する他のネットワークが、後に又は後日、セットアップされ得る。例えば、ある特定の実施形態では、照明管理システムは、公衆ワイヤレスネットワークを介して照明デバイスから受信された位置を使用して、照明デバイスの地理的グループ間にローカルワイヤレスネットワークを更に生成し得る。この場合、前記照明デバイスのローカルコントローラは、その位置を照明管理システムに送信することに応答して、公衆ワイヤレスネットワーク上で受信された照明管理システムからのコマンドに基づいて、前記グループのうちの１つのローカルワイヤレスネットワークに加わるように構成され得る。
【００１６】
更なる実施形態では、装置は、公衆ワイヤレスネットワークに対して装置を認証するために使用されるように構成された第１のセキュリティデータ要素を保存する加入者識別モジュールを含み得る。加入者識別モジュールは、公衆ワイヤレスネットワークを介して照明管理システムに対して装置を認証するために使用されるように構成された第２のセキュリティデータ要素も保存し得る。代替的に、第２のセキュリティデータ要素は、装置に含まれる第２の加入者識別モジュール、又は装置の別のストレージデバイス（例えば、ＥＥＰＲＯＭ）に保存され得る。
【００１７】
また更なる実施形態では、ローカル制御モジュールは、公衆ワイヤレスネットワーク上で照明管理システムとの接続性が達成されない場合、デフォルト挙動に従って照明デバイスを制御するように構成され得る。デフォルト挙動は、タイマ及び／又は１つ若しくは複数のセンサに基づいて、照明デバイスを制御することを含み得る。
【００１８】
本明細書に開示される別の態様によれば、上記の特徴の何れかを有する装置を備えた照明デバイスが提供される。本明細書に開示される別の態様によれば、照明管理システムと、複数の照明デバイスであって、それぞれが上記の特徴の何れかを有する装置のインスタンスを含む、複数の照明デバイスとを含む、照明ネットワークが提供される。
【００１９】
実施形態では、照明管理システムは、公衆ワイヤレスネットワークを介して受信された識別子を用いて、照明管理システム（例えば、資産管理システムを含む場合）で使用するための各照明デバイスの１つ又は複数のそれぞれのパラメータ（例えば、注文情報）を調べるように構成される。
【００２０】
本開示のまた更なる態様によれば、設置時の照明デバイスのコミッショニングの対応する方法が提供され、及び照明デバイスのコミッショニングのための対応するコンピュータプログラム製品が提供される。
【００２１】
本開示の理解を促進するため、及び実施形態をどのように実施することができるかを示すために、例として、添付の図面が参照される。
【図面の簡単な説明】
【００２２】
【図１】先行技術から本開示の実施形態による「プラグアンドプレイ」コミッショニングプロセスへの歴史的発展を概略的に示す。
【図２】本開示の実施形態による、複数のライトポール及びライトポールのコミッショニングにおいて使用される公衆ワイヤレスネットワークを含む照明ネットワークの概略図である。
【図３】本開示の実施形態によるライトポールの概略ブロック図である。
【図４】本開示の実施形態によるライトポールのコミッショニングの方法を概略的に示す。
【発明を実施するための形態】
【００２３】
以下は、屋外ライトポールの導入において、ローカルラストマイルネットワークの生成を必要とせず（少なくとも初期又は唯一の通信手段としてではなく）、コミッショニングを目的として（且つ任意選択的に継続制御及び／又はライトポールの日常的な動作のフィードバックも目的として）、２Ｇ、３Ｇ、又は４Ｇモバイルセルラーネットワーク等の１つ又は複数の既存の公衆ネットワークを代わりに利用する構成を説明する。所望の「プラグアンドプレイ」設置を更に達成するために、実施形態において、以下のステップが、設置者の現場での手動労力なくライトポールによって自動的に行われる。
−  照明器具に用いられるＳＩＭカードに埋め込まれた専用秘密による、照明器具と遠隔管理システムとの間のエンドツーエンドのセキュリティプロビジョニング。
−  遠隔管理システムで使用される照明器具（電気製品、照明）の技術的パラメータを予め既に照明器具工場から遠隔管理システムへ送っていることによるそれらのプロビジョニング。
−  電源投入後に一層より正確な位置情報を遠隔管理システムに送ることによる照明器具の位置（ＧＰＳ座標）のプロビジョニング。
【００２４】
図１は、従来の「処理能力のない」ライトポールから、複雑な設置を必要とする、より最近の遠隔管理ライトポールへ、更に本開示の実施形態においてこれより開示される「プラグアンドプレイ」ライトポールへの進化を概念的に示す。
【００２５】
図１（ａ）は、旧来の「処理能力のない」ライトポールの設置を示す。制御の観点から、ライトポールは、良くても、適切な時間に又は適切な感知事象に応答して自らの照明器具のスイッチをオン及びオフにする（暗くなると又は人若しくは物体の存在が検出された際にオンにする）ように構成されたローカル制御回路を備えたローカルタイマ、光センサ又は運動センサを備える。更に、ライトポールは、情報を全く報告しない。その結果、各ライトポールは、個々に、及び単なる電源への接続を除く他の場所への接続を行うことを必要とせずに設置され得る。しかしながら、マイナス面は、ライトポールが遠隔で制御され得ず、又はそのステータスについて報告することができないため、それは、ライトポールの所在地を物理的に再訪することによってのみ再プログラミングすることができ、同様にあらゆる故障又は現在の動作情報は、ライトポールを物理的に再訪することによってのみ発見され得る点である。
【００２６】
図１（ｂ）は、より最近の「接続された」ライトポールの設置を示す。ライトポールは、遠隔中央管理システムに接続されており、従ってそれは管理システムから遠隔で制御され得（例えば、スイッチをオン及びオフにすること、並びに／又は所望のスケジュールに従ってライトポールを調光すること）、且つ／又はステータス情報を遠隔管理システムに報告することができる（例えば、故障又は現在の動作状態を報告すること）という利点を有する。しかしながら、マイナス面は、設置が遥かに複雑となり、それらの多くは、時間がかかり、詳細な技術的専門知識を必要とし、及び／又はエラーを起こしやすい上記に概要を述べたステップ（ａ）〜（ｋ）等の複数のステップを必要とする点である。これらのうち、特に面倒な作業は、少なくとも、設置場所でライトポールを接続するための専用「ラストマイル」ネットワークのコミッショニングを行う必要性、ライトポールの場所を慎重に計画する必要性、及び／又は特定の順序で設置する必要性を含み得る。これらの要件の１つ又は複数を取り除くことが望ましい。
【００２７】
図１（ｃ）は、本明細書に開示される実施形態に従った「スマート」ライトポールの設置を示す。この構成は、遠隔システムから制御される及び／又はそのようなシステムに報告を送信する能力の観点から、「接続された」ライトポールの利点に類似した利点を維持することができる。しかしながら、このライトポールは、ここでは、２Ｇ、３Ｇ又は４Ｇモバイルセルラーネットワーク等の既存の公衆ネットワークを介して中央管理システムにワイヤレスに接続し、及び設置時に自動的にこの既存の公衆ネットワークを介して遠隔システムに対して身元を明かす−その位置を含む−ように構成される。従って、以前の「接続された」ライトポールのコミッショニングに伴う困難の多くを取り除くことができる。実施形態において、遠隔システムは、ライトポールを制御し続け、及び／又は公衆ワイヤレスネットワークを介してライトポールからステータス報告を受信し続けることもできる。代替的に又は追加的に、更なる実施形態では、遠隔システムは、自動的に報告されたＩＤを使用して、ライトポールの１つ若しくは複数の初期設定を設定し、及び／又は工場からシステムによって事前に受信された予め受信された注文情報とライトポールとを一致させることができる。
【００２８】
その結果、実施形態では、完全に機能する遠隔管理設置のために現場で必要とされる上記のステップリストは、僅かに
（ａ）照明器具を設置する（任意の順序で）
（ｂ）顧客の代理人として照明器具を遠隔で始動させ、従って、それらを遠隔制御状態にする
（ｃ）システム（主に故障ハードウェアのため）の検証
にまで減らすことができる。
【００２９】
実施形態において、開示されたシステムは、設置者が過去５０年間にわたって慣れてきたワークフローと類似する又は同一のワークフローを可能にするが、より最近の「接続された」照明器具の接続性と類似する又は同一の追加の接続性を有する。最初に、照明器具の構成が計画される（ここでは、ライト計画ソフトウェアを使用）。正しい照明器具の種類が注文され、その後現場に設置される。それらが期待通りに機能するか否かに関して簡単なテストが行われる。国によっては、設置は、電源スイッチ型又は常時接続の何れかである。常時接続ネットワークの場合、照明器具は、日中、ライトのスイッチをオフにするためのフォトセルを含む。照明器具の正しい機能をテストするために、照明器具がオンになるか否かを確かめるためのキャップがフォトセル上に載置される。電源スイッチ型ネットワークの場合、電源セグメント全体のスイッチがオンにされ、及び各照明器具に対して、それが期待通りに機能するか否かを確かめるためにチェックが行われる。
【００３０】
図２は、本開示の実施形態に従った照明ネットワーク例を示す。照明ネットワークは、１つ又は複数の道路又は歩道の一方又は両側に沿って等、様々なそれぞれの位置に設置された又は設置される予定の街灯等の複数の屋外ライトポール２を含む屋外照明ネットワークである。照明ネットワークは、例えば照明制御システム及び／又は資産管理システムの機能性を備え得る照明管理システム４も備える。照明管理システム４は、ユーザ端末のストレージデバイスに保存され、及びそのユーザ端末上で実行するように構成された照明管理アプリケーションを備えたデスクトップ、ラップトップ又はタブレットコンピュータ等の少なくとも１つのユーザ端末を備える。照明管理システム４は、ユーザ端末を介してアクセスされる照明管理システム４の主な機能性を提供する１つ又は複数のサーバも含み得る。代替的に、照明管理システム４は、あるユーザ端末上のスタンドアロンアプリケーションであり得る。
【００３１】
更に、本明細書に開示される技術によれば、ライトポール２及び照明管理システム４はそれぞれ、少なくとも設置時に行われる１つ又は複数の初期コミッショニングステップを目的として（且つ実施形態では、設置後の動作時に、ライトポール２を制御する及び／又はそれらから報告を受信する目的で）、公衆ワイヤレスネットワーク６上で通信するように動作可能である。公衆ワイヤレスネットワークは、それが既に存在し、及びライトポール２の何れか又は何れかの関連の専用機器がエリアに設置される前に、そのエリアにネットワークカバレッジを提供している点で既存のものである。即ち、既存のネットワーク６は、別の目的で（例えば、汎用通信）関連エリアに既に存在し、及びライトポール２の設置又はコミッショニングに限定して関係する専用インフラではない。
【００３２】
実施形態において、公衆ワイヤレスネットワーク６は、一人又は複数のオペレータの複数の基地局８（３ＧＰＰ用語では、「ノードＢ」とも呼ばれる）を備えた少なくとも１つのモバイルセルラーネットワークの形式の広域ワイヤレスネットワーク（ＷＷＡＮ）であり、基地局８は、例えば、IS-95、CDMA2000又はＷＣＤＭＡ（登録商標）等のＣＤＭＡアクセス技術を含む、２Ｇ（例えば、ＧＳＭ（登録商標））、３Ｇ（例えば、ＵＭＴＳ）又は４Ｇ（例えば、ＬＴＥ）技術等の無線アクセス技術に基づいて、異なるそれぞれの地理的セル（これらは重複し得る）にわたるネットワークカバレッジを提供する。別の例として、ＷＷＡＮは、ＷｉＭＡＸネットワークの基地局を含み得、又は公衆ワイヤレスネットワークは、Wi-Fi（登録商標）若しくはZigBee（登録商標）ネットワーク等の１つ若しくは複数の既存のＷＬＡＮの１つ若しくは複数のアクセスポイントを含み得る。以下は、モバイルセルラーネットワークの形式のＷＷＡＮの観点から記載されるが、他の可能性が排除されないことが理解されるであろう。
【００３３】
各ライトポール２は、セルラーネットワークの関連の無線アクセス技術に従って動作し、それによって基地局８の少なくとも１つと、ライトポール２がその基地局のセルにある時に直接通信するように構成された無線送受信器の形式のセルラーネットワーク６、８とのインタフェースを備える。照明管理システム４は、照明管理システム４のセルラー送受信器を介して基地局８の１つと直接インタフェースをとることによって、又はインターネット等の別のネットワークを介して間接的に、セルラーネットワーク６上で通信することができるようにも構成される。従って、照明管理システム４は、セルラーネットワーク６、８を介してライトポール２の各々から情報を遠隔で受信することができ、及び実施形態では、セルラーネットワーク６、８を介してライトポール２の各々を遠隔で制御することもできる。
【００３４】
図３は、本開示の実施形態によるライトポール２の概略ブロック図を提供する。ライトポール２は、例えば街灯の場合のように照明器具の下の領域の照明を行うために、ポール１２に取り付けられた照明器具１４を備える。照明器具１４は、例えばフィラメントランプ又は１つ若しくは複数のＬＥＤを備えたＬＥＤベースランプであるランプ１６、及びランプ１６を駆動するために接続されたドライバ１８を備える。更に、照明器具１４は、設置時にライトポール２の（少なくとも部分的に）自動化されたコミッショニングを行うための、ランプ１６に結合された装置２０を備える。この装置２０は、測位モジュール２２と、セルラーネットワーク６に対してその基地局８（上述のような）の１つ又は複数を介して接続するためのセルラー送受信器２６と、ローカル制御モジュール２４とを備える。実施形態において、装置２０は、屋外照明コントローラ（ＯＬＣ：outdoor lighting controller）と呼ばれる場合がある。
【００３５】
測位モジュール２２は、ＯＬＣ装置２０の（且つ従ってそれが組み込まれる照明器具１４及びライトポール２の）地理的位置、即ち、地球に対する又は地図若しくは市街地図上の位置を決定するように動作可能である。実施形態において、測位モジュール２２は、ＧＰＳ、ＧＬＯＮＡＳＳ又はGalileo等の人工衛星を利用した測位システムの複数の人工衛星に対する地理的位置を決定するための人工衛星受信器及び関連のアルゴリズムを備えた人工衛星を利用した測位モジュールを含む。代替的に又は追加的に、測位モジュール２２は、人工衛星以外の他の基準ノードに対する、例えば、セルラーネットワーク６の基地局８に対する（セルラー受信器２６を使用）、ワイヤレスローカルアクセスネットワーク（ＷＬＡＮ）のワイヤレスアクセスポイントに対する、及び／又は専用地上測位システムのノードに対する位置を決定するためのアルゴリズム及び適切な受信器等の地理的位置を決定するための他の手段を備え得る。
【００３６】
ローカル制御モジュール２４は、照明管理システム４に対するクライアントとして機能し、及びストレージデバイス（例えば、ＲＯＭ、ＥＥＰＲＯＭ又は磁気ハードディスク）に記録され、且つプロセッサ上で実行するように構成されたコードにより実現され得、ストレージデバイス及びプロセッサは、ライトポール２に組み込まれる。このローカル制御モジュール２４は、測位モジュール２２及びセルラー送受信器２６に結合される。従って、ローカル制御モジュール２４は、少なくとも、測位モジュールを用いてライトポール２の位置を決定すること、ライトポール２のストレージデバイス（例えば、ＲＯＭ、ＥＥＰＲＯＭ又はヒューズラッチの組、不図示）からライトポール２の識別子を検索すること、及びセルラーネットワーク６（及びセルラーネットワーク６から照明管理システム４へと前方へ接続することに関与する他のネットワーク、例えばインターネット）上で、セルラー接続を介して照明管理システム４のレジスタへライトポール２の位置及び識別子を報告することによって、ライトポール２の少なくとも部分的に自動化されたコミッショニングを行うように構成される。実施形態において、自動コミッショニングは、照明管理システム４からライトポール２の１つ又は複数の初期構成設定をダウンロードすることを伴うこともでき、これは、照明管理システム４が、それが報告したＩＤに基づいて、問題となっているライトポール２に関して調べたものである。
【００３７】
これらのステップは、−ライトポール２を識別するためにバーコードをスキャンすること、その予め計画された位置を手動で調べること、及び／又はカタログ中の構成を調べること等の−以前では手動で行われていた少なくとも１つ又は幾つかの作業が最早必要とされない点において、少なくとも部分的に自動化される。好ましくは、ユーザ入力が必要とされず、プロセスは、ライトポール２の電源投入時に、完全に自動化された態様で進行し、この場合、手動で電源を接続すること、及びライトポール２をその所望の地点に機械的に固定することのみが必要とされる。代替的に、人の設置者による何らかの入力が伴い得ること、例えば、設置者が、コミッショニングプロセス若しくはプロセス内の特定のステップを生じさせるために制御装置を押す、又はプロセスを開始すべきこと、若しくはプロセス内の特定のステップが進行すべきであることを確認するために１つ若しくは複数の自動化プロンプトに応答することは除外されない。例えば、このようなユーザ入力は、ライトポール２に組み込まれたユーザインタフェースによって、又はライトポール２と設置者のモバイル端末との間のローカル接続（ライトポール２と不図示のスマートフォン又はタブレット上で動作しているアプリとの間のWi-Fi（登録商標）又はBluetooth（登録商標）接続）を介して提供され得る。例えば、設置者は、ライトポール２の電源投入時に自動的に確認を促され得る。
【００３８】
何れにしても、実施形態において、セルラーネットワーク６上で、照明管理システム４に対してそれ自体及びその位置を告げるため、並びに照明管理システム４から初期設定を取得するための通信は、好ましくは、ある特定の所在地においてある特定の当事者によって最初に設置された際にライトポール２が行う最初の外部通信である。即ち、セルラーネットワーク６は、外部通信の最初の手段である（及び全ての実施形態において必ずしもそうではないが、外部通信の唯一の手段であり続ける場合がある）。
【００３９】
実施形態において、ローカル制御モジュール２４は、ランプ１６にも結合され、ドライバ１８を介してランプ１６を制御するように接続されており、且つ／又はランプ１６及び／若しくはドライバ１８からステータス情報を受信するように接続されている。これは、照明管理システム４が、セルラーネットワーク６及びローカルコントローラ２４を介してライトポール２のランプ１６を遠隔で制御すること、且つ／又はセルラーネットワーク６及びローカルコントローラ２４を介してランプ１６及び／若しくはドライバ１８に関するステータス情報を遠隔で受信することを可能にする。
【００４０】
初期コミッショニングのため、且つ／又は継続制御及び／若しくは報告のために、ライトポール２と照明管理システム４との間の関連のシグナリングは、セルラーネットワーク６の汎用パケットデータチャネル上で、例えば、ＧＰＲＳ、ＥＤＧＥ若しくはＨＳＰＡを用いて伝達され得、又はＳＭＳを用いて（セルラーネットワーク６の制御チャネル上で）伝達され得る。
【００４１】
ＯＬＣ２０は、必ずしも照明管理システム４の主要アプリケーションサーバと直接コンタクトを取る必要はないが、これは明らかに一実施形態である。異なる実施形態は、デバイスにとって最初のコンタクトポイントであるブートストラップサーバ（デバイス管理サーバと呼ばれる場合もある）を動作させることであり得る。これは、意図されたアプリケーションサーバへ接続するためのＯＬＣの初期構成を作る。
【００４２】
図４は、本開示の実施形態によるライトポール２の購入及びコミッショニングを行うプロセスを示す。
【００４３】
ステップＳ１では、顧客２８がベンダ３０に発注する。例えば、顧客は、街路照明又は他の市の屋外照明に対して責任のある市の局である場合がある。ステップＳ２ａでは、ベンダ３０は、照明器具１４又はライトポール２を製造する照明器具工場３２へ注文を送り、及びステップＳ２ｂにおいて、ベンダ３０が、照明管理システム４に注文を知らせる。ステップＳ３では、照明器具工場３２が、ライトポール２に組み込まれるＯＬＣ２０をＯＬＣ問屋３４に注文し、及びステップＳ４において、問屋３４は、ＯＬＣ工場３６にそれらを注文する。
【００４４】
セキュリティプロビジョニングに関して、使用され得る多くのセルラーネットワーク（例えば、２Ｇ  ＧＳＭ（登録商標）ネットワーク）の一部として、デバイス内に加入者識別モジュール（多くの場合、「ＳＩＭカード」と呼ばれる）を有することが必須である。従って、セルラーネットワーク６に対して自らを証明するために、ライトポール２に組み込まれたＯＬＣ２０は、ＳＩＭカード（不図示）を更に備える。ＳＩＭカードは、ＧＳＭ（登録商標）ネットワーク等内のＨＬＲ（ホーム位置レジスタ）に対して一意的に認証するための一意識別子及び秘密データを既に含む。更に、本開示の実施形態によれば、各ＯＬＣ２０に対して、ライトポールのローカルコントローラ２４と遠隔照明管理システム４との間のエンドツーエンドセキュリティを提供するために、ＳＩＭカード上のＳＩＭカードプロファイルに第２の追加の秘密が加えられる。各ＯＬＣ２０の第２の秘密もまた、新しいＳＩＭカードの束が製造される度に、照明管理システム４のサーバに安全に送信される。動作中、ＯＬＣ２０上のローカルコントローラ２４は、セルラーネットワークに対して自らを証明するためにセルラーネットワーク６に第１の秘密データを提示し、及び照明管理システム４に対して自らを証明するために照明管理システム４に第２の秘密データを提示することができる。
【００４５】
例えば図４のステップＳ５ａにおいて、ＯＬＣ工場３６は、ＯＬＣ２０用のＳＩＭカードを接続性供給業者３８に注文し、及び接続性供給業者３８は、それぞれのＳＩＭに保存された各ＯＬＣの秘密ＳＩＭデータを有するＳＩＭカードを提供する。この秘密ＳＩＭデータは、セルラーネットワーク６に対してＯＬＣ２０を認証するための秘密データ及び照明管理システム４に対して認証するための秘密データを含む。第２の秘密は、ＯＬＣ２０のインスタンスにつき一意であるため、各照明器具１４は、それ自体の一意の秘密を入手し、これが認証を遥かに強固にする。ステップＳ５ｂでは、接続性供給業者３８も秘密ＳＩＭデータを照明管理ネットワーク４のサーバに送り（又は少なくともそれに照明管理システム４に対してＯＬＣ２０を認証するための秘密を送り）、これらの個々の秘密は、自動的にシステムに挿入される。代替的に、秘密は、例えばＯＬＣ工場３６又は照明器具工場３２から、製造中の後の何れかのステップにおいてサーバに送信され得る。
【００４６】
更なる代替例では、第２の秘密は、ＳＩＭに含まれる必要がない。異なる実施形態は、ＯＬＣ２０のＥＥＰＲＯＭ製造にこの秘密を書き込むことができ、又はこの目的のための第２の加入者識別モジュールが存在し得る。
【００４７】
ステップＳ６では、照明管理システム４のサーバは、顧客２８にログイン詳細を送り、顧客２８が、例えば、顧客のデスクトップ、ラップトップ、タブレット又はスマートフォンといった顧客のユーザ端末から照明管理システムにログインすることを可能にする。例えば、照明管理システムは、インターネット及び／又は社内ＬＡＮ等のパケットベースネットワークを介して顧客のユーザ端末がログインすることを可能にするように構成され得る。従って、顧客のユーザ端末は、照明管理システムの一部となり、これは、顧客がサーバ上で提供されるアプリケーションを介して、顧客のライトポール２を制御する及び／又はそれらから報告を受信することを可能にする。
【００４８】
但しその前に、照明器具１４又はライトポール２が照明器具工場の製造ラインを離れた後、ステップＳ７ａにおいて、各製造された照明器具１４又はライトポール２に関する情報が、照明管理システム４のサーバに送られる。これは、以下のパラメータの１つ又は複数を含み得る：
−  １つ又は複数のコンポーネントの一意識別子、例えば、照明器具１４若しくはライトポール２のサービスタグ、ドライバ１８の識別子、及び／又はＯＬＣのローカルコントローラ２４の識別子；
−  商用情報、例えば、照明器具１４若しくはライトポール２及び／又はその１つ若しくは複数のコンポーネントの１０ＮＣタイプ、照明器具の商用名称、及び／又は顧客の選択；
−  物流情報、例えば、製造注文番号及び／又は注文番号；
−  １つ又は複数の技術的パラメータ、例えば、システム電源、最小調光レベル、システム光束、演色評価数、及び／又は光の色；並びに／又は
−  プログラミング情報、例えば、予めプログラムされた調光挙動、フォトセルレベル、及び／又はＣＬＯ（一定光出力）アルゴリズム（時間と共にそれらの効率が悪くなるため、ＬＥＤの経年劣化を補償するアルゴリズム）に関する情報等の、１つ又は複数のコンポーネントがどのように工場でプログラムされるか。例えば、ＣＬＯアルゴリズムのパラメータは、照明管理システム４によってライトポール２に送られ得る。
【００４９】
ステップＳ７ｂでは、ライトポール２又は少なくとも照明器具１４が顧客に納品される。ステップＳ８では、顧客は、照明器具を所望の位置に設置する。
【００５０】
セキュリティプロビジョニングが行われ、且つ照明器具又はライトポールデータが照明管理システム４において利用可能になり次第、ライトポール２のＳＩＭカードは、使用可能となることができる。その瞬間から、ローカルコントローラ２４は、それが最初に電源がオンにされた際に、安全に照明システムプラットフォーム４に接続することができる。
【００５１】
ＯＬＣのローカルコントローラが電力を供給された後、それは、可能な限り早くＧＰＳフィックスを入手しようとする。例えば、これは、最初は、最大で２０メートルまで正確な位置を提供することができる。しかし、直ちにより多くの人工衛星を見つけることができ、これは位置推定の質を向上させる。ローカルコントローラ２４は、より長い時間の間（例えば、少なくとも１時間）、位置の平均値を求めるように構成され得、これは、例えば、精度を約２メートルにまで、及び近くのＯＬＣに対して１メートルにまで向上させることができる。これらの相対的位置は、同じポール１２上の複数の照明器具１４が少なくとも１メートル離れているのであれば、それらを区別するのに十分である。フィックスを取得するための他の精度及び時間は条件次第で達成され得る。
【００５２】
例えば、同じライトポール上の２つの照明器具の相対的位置を知りたい理由の１つは、何れの照明器具が道路の何れの側にあるか、例えば、何れが北にあり、及び何れが南にあるかを区別するためである。即ち、２つの照明器具がライトポール上の異なる場所にある（例えば、一方がある方向に延びるアーム上にあり、及び他方が反対方向に延びるアーム上にある）と区別することができる場合、それらの相対的配向を決定することもできる。この情報は、保守又は修理チームが修理のために右車線を封鎖することを可能にする。
【００５３】
オートロケーションの少なくとも２つの代替的変形形態が存在し得る。第１の変形形態によれば、顧客は、データを有さず、及び上述のような測位モジュール２２を用いてそれを決定することをＯＬＣ２０に任せる。精度レベルは、顧客にとって目に見えるようにすることもできる。しかしながら代替的に第２の変形形態では、顧客は、資産データを有し、及びＯＬＣ２０がこのデータに割り当てられることを望む。この場合、ユーザが、所望の位置から、ある特定の閾値、例えば５ｍを超えて離れた位置に資産を移動させると、警告が示される。システムは、これらの変形形態の一方又は両方をサポートするように構成され得る。
【００５４】
位置は、照明器具工場からの物流情報と共に、ＯＬＣ２０が、照明管理システム４において顧客の所在地と一意的に関連付けられることを可能にする。他のシステムでは、これは、手動の構成ステップによって、開始前に正しい顧客の所在地にログインすることによって暗黙的に解決される。代替的な解決策の１つは、照明器具工場において、正しい顧客の所在地の詳細を用いてＯＬＣをプログラムすることである。しかしながら、これは柔軟性に欠け、顧客は照明器具の注文時に既に選択しなければならない。従ってその代わりに、本開示の実施形態では、これは異なって解決される：ステップＳ９において、ＯＬＣ２０は、既存のセルラーネットワーク６を介して、照明管理システム４のサーバに対して、そのＩＤ及びその自己決定地理的位置を公表することによって、自動的に自らを登録する。
【００５５】
ステップＳ１０では、設置及びコミッショニングが行われたライトポール２が、照明管理システム４によって顧客２８に対して表示される。照明管理システムは、ステップＳ７ａで受信された各技術的パラメータを、ステップＳ９で受信されたそれぞれの各照明器具１４のＩＤと自動的に一致させるように構成される。従って、各照明器具の特性は、オペレータが手動で照明器具の特性をシステムに入力することを必要とするのではなく、設置時に自動的に照明管理システム４のオペレータに対して表示される。
【００５６】
実施形態では、自動コミッショニングは、照明管理システム４がセルラーネットワークを介してライトポール２に構成情報を送ることを含み得、これを用いてＯＬＣのローカルコントローラ２４がライトポール２の構成を行う。例えば、照明管理システム４との接続が存在するようになり次第、何れの時点でライトポールの照明器具１４のランプ１６のスイッチがオン及びオフにされるか、又はどのようにその調光レベルが時刻によって変化するかを指定する、ライトポール２の調光又は切り換えカレンダが自動的にダウンロードされ得る。別の例として、ライトポール２は、１つ又は複数のセンサ（不図示）を備えることができ、これに基づいて、そのローカルコントローラ２４は、自動的に照明器具１４のランプ１６を切り換える又は調光する。例えば、ライトポール２は、人又は物体がセンサのある特定の近さの範囲内に存在することが感知されると、自動的にランプ１６を起動してスイッチを入れさせる又は明るくさせる存在センサ（例えば、運動センサ）を備え得る。別の例として、ライトポールは、現在の周辺光レベルがある特定の閾値を下回ることの検出に応答して、自動的に光源を起動してスイッチを入れさせる又は明るくさせる光センサを備え得る。このような実施形態では、照明からダウンロードされた初期構成情報は、センサがランプ１６を起動してスイッチをオン及びオフにさせる、且つ／又は明るくさせる及び暗くさせる条件の定義を含み得る。例えば、定義は、１つ又は複数のセンサのセンサ感度レベル又は閾値を含み得る。
【００５７】
既に述べたように、初期設置及び自動コミッショニング後に、実施形態では、ローカルコントローラ２４は、セルラーネットワーク６上で受信された照明管理システム４からの命令に基づいて、継続的動作の間、照明器具１４を制御し続けるように構成され得る。実施形態では、遠隔照明管理システム４による照明器具１４のこの継続的制御は、以下の１つ又は複数を含み得る：
−  ランプ１６の調光及び切り換え；
−  調光カレンダの構成又は再構成；
−  光センサ及び／又は運動センサのスイッチをオン及びオフにすること；
−  センサの１つ又は複数に応答した挙動の構成又は再構成；
−  電源ネットワークのスイッチをオン及びオフにすること；
−  カレンダ及び／又はセンサに基づく挙動からの手動オーバーライド、任意選択的に、リセット時間（その後、照明器具が標準カレンダ及び／又はセンサに基づく挙動設定に戻る、顧客によって設定される期間）若しくは逆に有効時間帯、及び／又は手動オーバーライドが有効である時を定義する開始時間を有する；
−  報告（以下を参照）の構成、即ち、何時及び／又はどのような条件で、情報がＯＬＣ２０から照明管理システム４へ報告されるか；並びに／又は
−  例えば色温度として（例えば、ケルビン単位で）表される、ランプ１６によって放射される光の色。
【００５８】
実施形態では、ＯＬＣのローカルコントローラ２４は、照明管理システム４との接続性が達成されない場合に使用する特定のデフォルト挙動を備えて構成され得る。例えば、ローカルコントローラ２４は、接続性が達成されない場合、ローカル運動センサ及び／又はフォトセルに基づいて、自動的にランプ１６を動作させることができる。
【００５９】
代替的に又は継続的制御に対して追加的に、初期設置及び自動コミッショニング後に、実施形態では、ローカルコントローラ２４は、セルラーネットワーク６上で照明管理システム４に対して照明器具のステータスの報告を送り続けるように構成され得る。実施形態では、この継続的報告は、以下の１つ又は複数を含み得る：
−  エネルギー、電力、電圧、電流、強度及び／又は１つ若しくは複数の他のパラメータの測定又は計測（これらは、現在の直近の測定、記録された過去の値、又はある期間にわたって蓄積された測定、例えば平均であり得る）；
−  故障検出及び報告、例えば、「日中のバーナ」（オフであるべき日中にオン）、「夜の機能停止」（オンであるべき夜にオフ）、ランプ寿命の終わり、及び／又は照明器具の電源ボックス、ＬＥＤモジュール若しくはドライバ１８の温度を報告すること；
−  地理的に故障が生じている場所（例えば、ＧＰＳ座標）、及び／又は故障の性質（この場合、照明管理システム４は、何が行われる必要があるか、それが何回起こっているか、及び／又は同じ故障が同じ街路若しくはエリアで生じているかも顧客に知らせ得る）；
−  センサの読み取り（例えば、運動センサ及び／又は運動センサのもの）；並びに／又は
−  位置及び／又は報告された位置の精度の継続報告。
【００６０】
報告は、周期的であることができ、事象によってトリガされることができ、又は照明管理システム４によって要求（例えば、セルラーネットワーク６上で要求）されることができる。例えば、実施形態では、ＯＬＣコントローラ２４は、それらのＧＰＳ位置を照明管理システムに継続的に報告し得、又は正確さが以前の位置報告よりも良い場合、若しくは位置が以前の位置報告とは大きく異なる場合にのみ、それらの位置を報告し得る。
【００６１】
上記は、少なくとも初期コミッショニングを目的としたライトポール２のローカルグループを接続するための専用「ラストマイル」ネットワークの要件を取り除く、ライトポール２をコミッショニングすることができ、及び任意選択的に広域モバイルセルラーネットワーク６等の既存の公衆ワイヤレスネットワークを介して管理することもできる照明ネットワークを記載した。但し、実施形態によっては、新しいアプリケーション（例えば、ローカルセンサ制御）をイネーブルにするため、又は接続性のコストを減少させるために、ローカルネットワークが後に生成され得る。それでもなお、他の管理システム用に生成されたローカルネットワークとは異なり、ＯＬＣは、ローカルネットワークに加えてセルラー（例えば、ＧＰＲＳ）リンクを常に有する。初期通信は、セルラー接続を常に使用し、及びその後、実施形態では、照明管理システム４のサーバは、ライトポール間のローカルネットワーク（ＳＤＮ、ソフトウェア定義ネットワーク）を調整及びセットアップすることができる。例えば、多数のライトポール２がそれらの地理的位置を報告すると、照明管理システム４は、この情報を使用して、互いに近いライトポール２のグループを識別し、及びそれらの間でワイヤレスローカルエリアネットワーク（ＷＬＡＮ）を形成する（各ライトポールに組み込まれ得るローカルワイヤレス送受信器を使用、不図示）ようにローカルコントローラ２４を制御し得る。例えば、ローカルネットワークは、人又は物体があるライトポール２によって感知された場合、同様にそれに応答して、同じグループの他の１つ又は複数のライトポール２がオンになる又は明るくなることができるように、ライトポール２の１つ又は複数に関する運動センサからのセンサデータを共有するために使用され得る。
【００６２】
開示された実施形態に対する他の変形形態は、図面、開示内容、及び添付の特許請求の範囲の研究から、特許請求される本発明の実施において、当業者によって理解され、及びもたらされ得る。請求項において、「含む（comprising）」という用語は、他の要素又はステップを排除せず、及び不定冠詞「１つの（a）」又は「１つの（an）」は、複数を排除しない。単一のプロセッサ又は他のユニットが、請求項に記載された幾つかの項目の機能を果たし得る。特定の手段が互いに異なる従属請求項に記載されているという事実のみでは、これらの手段の組み合わせを有利に使用できないことを意味しない。コンピュータプログラムは、他のハードウェアと共に又はその一部として供給される光ストレージ媒体又は固体媒体等の適切な媒体上で保存／配布され得るが、インターネット又は他の有線若しくはワイヤレス通信システムを介して等、他の形態で配布され得る。請求項における何れの参照符号も範囲を限定するものと解釈されるものではない。
【図２】
2017508262.tif 000003
【図１】
2017508262.tif 000004
【図３】
2017508262.tif 000005
【図４】
2017508262.tif 000006
【国際調査報告】
2017508262.tif 000007
2017508262.tif 000008
2017508262.tif 000009